(57)【要約】【課題】ジョッキやデキャンタボトルなどの特殊な形状の被洗浄物を洗浄する洗浄具において、特に手の入らない箇所を、容易かつ確実に洗浄できるようにする。【解決手段】使用者によって容易に塑性変形可能で、かつ洗浄時に加わる力などに対して、変形された形状を維持できる程度の剛性を有する基材の外周部に、スポンジ３１〜３３から成る洗浄部材３を貼付ける。したがって、図２に示すように、Ｕ字状に折返して癖付け（塑性変形）を行うことで、ジョッキやマグカップなどの筒状の容器の内外両面を一気に洗浄することができる。また、軸方向の外周に沿うように適宜癖付けして口から差し込むことで、瓶の場合は肩部を、デキャンタボトルでは膨出した腹部の内周に、洗浄部材３を密着させて、漏れ無く洗浄することができる。【選択図】図２
2016137178.tif 000002
【特許請求の範囲】
【請求項１】
塑性変形可能な線状または帯状の基材と、
前記基材の外周部に取付けられる洗浄部材とを含むことを特徴とする洗浄具。
【請求項２】
長さが、３０〜３３ｃｍに形成されることを特徴とする請求項１記載の洗浄具。
【請求項３】
前記基材は、帯の幅方向の断面が小判形または楕円形の前記帯状であることを特徴とする請求項１または２記載の洗浄具。
【請求項４】
前記洗浄部材は、スポンジから成ることを特徴とする請求項３記載の洗浄具。
【請求項５】
前記洗浄部材は、その幅方向の両端部が、長手方向に延びる中心線からの距離が周期的に長短を繰り返す波形の側面を有することを特徴とする請求項４記載の洗浄具。
【請求項６】
前記洗浄部材は、その長手方向の一方の端部付近が、端部側となるにつれて狭幅となる尖鋭状に形成されていることを特徴とする請求項４または５記載の洗浄具。
【請求項７】
前記洗浄部材は、前記基材の両端部を含む全周に亘って、前記基材を覆っていることを特徴とする請求項４〜６の何れか１項に記載の洗浄具。
【請求項８】
前記洗浄部材は、その長手方向の少なくとも一方の端部において、幅方向の中央付近に、切れ込みが形成されていることを特徴とする請求項７記載の洗浄具。
【請求項９】
前記スポンジは、前記基材の厚み方向に分割されており、基材に対して、前記厚み方向の一方側と他方側とで、相互に密度の異なるスポンジが貼合わせられていることを特徴とする請求項４〜８の何れか１項に記載の洗浄具。
【請求項１０】
前記基材は、その両端部が、該両端部以外の部分よりも、拡径されていることを特徴とする請求項１〜９の何れか１項に記載の洗浄具。
【請求項１１】
前記基材の両端部は、前記洗浄部材の端部から突出し、その突出した部分が共通の柄に取付けられることで、前記基材および洗浄部材は環状に形成されることを特徴とする請求項１〜６記載の洗浄具。
【発明の詳細な説明】
【技術分野】
【０００１】
本発明は、ジョッキやマグカップなどの有底筒状の容器を始め、溝など、任意形状の被洗浄部位を洗浄するために好適に用いられる洗浄具に関する。
【背景技術】
【０００２】
上記のジョッキやマグカップは、底が深いため、手が入り難く、通常のたわしやスポンジでは、洗浄し難い。しかしながら、前記ジョッキやマグカップは、比較的均一な円筒に形成されるので、特に居酒屋などの業務用途では、単純な柄付きたわしやスポンジを使用するのではなく、特許文献１に示されるビアジョッキ洗浄ブラシのような、略Ｕ字状のたわしやスポンジが使用されることもある。このビアジョッキ洗浄ブラシを使用することで、内外両面が一度に洗浄できて、洗浄効率を非常に高めることができ、好適である。
【先行技術文献】
【特許文献】
【０００３】
【特許文献１】特開２０００−２０１８８１号公報
【発明の概要】
【発明が解決しようとする課題】
【０００４】
しかしながら、特許文献１は、ビアジョッキ洗浄ブラシであり、ビアジョッキの洗浄には適しているものの、他の被洗浄物には適用できない。たとえば、瓶の場合、肩部を始め、内部を洗浄できず、同様にデキャンタボトルでも、膨出した腹部を始め、内部を洗浄できない。そのため、これらの被洗浄物は、前記柄付きたわしやスポンジを使用することになる。また、これらの食器に限らず、住宅設備の水回りなど、前記特許文献１や、柄付きたわしやスポンジでは、対応できない洗浄物や洗浄部位が多い。
【０００５】
本発明の目的は、特殊な形状の被洗浄物の、特に手の入らない箇所の洗浄を、容易かつ確実に行うことができる洗浄具を提供することである。
【課題を解決するための手段】
【０００６】
本発明の洗浄具は、塑性変形可能な線状または帯状の基材と、前記基材の外周部に取付けられる洗浄部材とを含むことを特徴とする。
【０００７】
上記の構成によれば、スポンジやブラシなどの洗浄部材を用いて、食器などを洗浄する洗浄具において、前記洗浄部材の中心などに基材を埋め込み、その基材は、使用者によって容易に塑性変形可能で、かつ前記洗浄時に加わる力などに対して、変形された形状を維持できる程度の剛性を有する線状または帯状の材料から構成される。
【０００８】
したがって、該洗浄具を、たとえばＵ字状に折返して癖付け（塑性変形）を行っておくことで、被洗浄物としてのジョッキやマグカップなどの筒状の容器の内外両面に、前記洗浄部材を密着させて、同時に洗浄できるようになる。また、たとえば瓶やデキャンタボトルなどでは、軸方向の外周に沿うように癖付け（塑性変形）を行った後、それらの内部に挿入して、周方向に回転させることで、前記瓶の肩部や、前記デキャンタボトルの膨出した腹部の内周に、前記洗浄部材を密着させて、漏れ無く洗浄することができる。また、食器に限らず、住宅設備の水回りなど、広く応用することもできる。こうして、前記スポンジやブラシなどの洗浄部材を用いて、特殊な形状やサイズの異なる被洗浄物の、特に手の入らない箇所を、容易に洗浄することができるとともに、確実に洗浄、すなわち綺麗に洗い上げることができる。
【０００９】
また、本発明の洗浄具は、長さが、３０〜３３ｃｍに形成されることを特徴とする。
【００１０】
上記の構成によれば、Ｕ字状に折返すことで、ジョッキやマグカップなどの筒状の容器の前記内外両面に加えて、飲み口や底部までも一気に洗い上げることができる。また、他の食器洗いに利用するにあたっても、台所や厨房で邪魔にならない程度に収納することができ、好適である。
【００１１】
さらにまた、本発明の洗浄具では、前記基材は、帯の幅方向の断面が小判形または楕円形の前記帯状であることを特徴とする。
【００１２】
上記の構成によれば、前記の癖付け（塑性変形）を行うにあたって、帯の厚み方向へは曲げが容易になって、帯の幅方向への曲げは困難になる。
【００１３】
したがって、該洗浄具の変形方向を殆ど規定することになり、曲げに方向性を持たせることで、使い易くなる。また、一旦、癖付け（塑性変形）をした後、戻す際に、元通りの形状に戻し易く、また円形の線材などでは変形を繰り返すと凹凸になって直線に戻らなくなってしまうのに対して、帯状としておくことで、癖（変形）が残る割合も少なくすることができ、毎回、洗浄部材を洗浄部位に密着させ易くなる。
【００１４】
また、本発明の洗浄具では、前記洗浄部材は、スポンジから成ることを特徴とする。
【００１５】
上記の構成によれば、ブラシでは、湾曲部分の外周側では毛が粗になり、洗浄できない部位が生じるのに対して、スポンジでは、湾曲部分の外周は、多少、伸ばされて（引っ張られて）潰れるものの、外周面は連なっており、洗浄部位への接触ムラを少なくすることができる。
【００１６】
これによって、洗浄ムラを少なくすることができる。
【００１７】
さらにまた、本発明の洗浄具では、前記洗浄部材は、その幅方向の両端部が、長手方向に延びる中心線からの距離が周期的に長短を繰り返す波形の側面を有することを特徴とする。
【００１８】
上記の構成によれば、スポンジを前記のように周方向に回転させるなど、幅方向に異動させて被洗浄物を洗浄するにあたって、スポンジの端（側）部は、一直線に進むのではなく、波打っているので、スポンジの相対的な移動が、汚れに対して、斜めの方向に力を加えることになる。
【００１９】
したがって、汚れが落ち易くなる。
【００２０】
また、本発明の洗浄具では、前記洗浄部材は、その長手方向の一方の端部付近が、端部側となるにつれて狭幅となる尖鋭状に形成されていることを特徴とする。
【００２１】
上記の構成によれば、該洗浄具の尖鋭状の端部を容器に差し込むことで、ワイングラスの底等、尖鋭状の被洗浄部位も、漏れ無く洗浄することができる。
【００２２】
さらにまた、本発明の洗浄具では、前記洗浄部材は、前記基材の両端部を含む全周に亘って、前記基材を覆っていることを特徴とする。
【００２３】
上記の構成によれば、前記端部の洗浄部材によって、ジョッキやマグカップなどの有底筒状の容器の底部まで洗浄することができるとともに、安全上も好ましい。
【００２４】
また、本発明の洗浄具では、前記洗浄部材は、その長手方向の少なくとも一方の端部において、幅方向の中央付近に、切れ込みが形成されていることを特徴とする。
【００２５】
上記の構成によれば、端部を被洗浄部位に押し当てることで、該端部は切れ込みの部分で股割れして、両側に拡がる。
【００２６】
したがって、ジョッキやマグカップなどの有底筒状の容器の底部およびその隅部まで洗浄することができ、好適である。
【００２７】
さらにまた、本発明の洗浄具では、前記スポンジは、前記基材の厚み方向に分割されており、基材に対して、前記厚み方向の一方側と他方側とで、相互に密度の異なるスポンジが貼合わせられていることを特徴とする。
【００２８】
上記の構成によれば、被洗浄物に付着した汚れの性質に応じて、該洗浄具をどちらに曲げるかで、簡単に、より適切なスポンジを接触させることができる。
【００２９】
また、本発明の洗浄具では、前記基材は、その両端部が、該両端部以外の部分よりも、拡径されていることを特徴とする。
【００３０】
上記の構成によれば、洗浄部材の被覆が破れるなどしても、基材の端部が太くなっていることで、安全上好ましい。
【００３１】
さらにまた、本発明の洗浄具では、前記基材の両端部は、前記洗浄部材の端部から突出し、その突出した部分が共通の柄に取付けられることで、前記基材および洗浄部材は環状に形成されることを特徴とする。
【００３２】
上記の構成によれば、環状の基材および洗浄部材を適宜変形させて、断面が、長方形、円形、三角形などの任意形状の溝などに平行に差し込み、９０°回転させた後、溝の長手方向に引き摺ってゆくことで、被洗浄部位の各面を一気に洗浄することができる。
【発明の効果】
【００３３】
本発明の洗浄具は、以上のように、スポンジやブラシなどの洗浄部材を用いて、食器などを洗浄する洗浄具において、前記洗浄部材の中心などに基材を埋め込み、その基材を、使用者によって容易に塑性変形可能で、かつ前記洗浄時に加わる力などに対して、変形された形状を維持できる程度の剛性を有する線状または帯状の材料から構成する。
【００３４】
それゆえ、特殊な形状やサイズの異なる被洗浄物の、特に手の入らない箇所を、容易に洗浄することができるとともに、確実に洗浄、すなわち綺麗に洗い上げることができる。
【図面の簡単な説明】
【００３５】
【図１】本発明の実施の一形態に係る洗浄具の初期状態での斜視図である。
【図２】前記洗浄具の一使用例であるＵ字状に折り曲げた状態での斜視図である。
【図３】前記一使用例の斜視図である。
【図４】前記洗浄具の他の使用例を模式的に示す断面図である。
【図５】前記洗浄具のさらに他の使用例の斜視図である。
【図６】本発明の実施の他の形態に係る洗浄具の初期状態での斜視図である。
【図７】本発明の実施さらにの他の形態に係る洗浄具の模式的な正面図である。
【図８】図７で示す洗浄具の作成方法を説明するための図である。
【図９】図７で示す洗浄具が使用される洗浄箇所としての溝の断面形状の例を示す図である。
【発明を実施するための形態】
【００３６】
（実施の形態１）
図１は、本発明の実施の一形態に係る洗浄具１の初期状態における斜視図である。この洗浄具１は、塑性変形可能な線状または帯状の基材２の周囲に、洗浄部材３が貼付けられて構成される。
【００３７】
基材２は、洗浄部材の中心に埋め込まれており、該基材２は、使用者によって容易（自由自在）に塑性変形可能で、かつ前記洗浄時に加わる力などに対して、変形された形状を維持できる程度の剛性を有する前記線状または帯状の材料から構成される。したがって、基材２には、たとえばステンレスなどの防錆機能を有する金属線材或いは金属帯板、ビニル被覆などで防錆処置の施された銅などの金属線材或いは金属帯板などを用いることができる。前記ビニル被覆による防錆処置の施された金属線材で、容易に入手可能な材料としては、電力線ケーブルを用いることができ、その電力線ケーブルの場合、単芯では線状、２芯や３芯では帯状となる。
【００３８】
洗浄部材３は、３層のスポンジ３１，３２，３３が積層されて構成される。３層のスポンジ３１，３２，３３は、相対的に、高密度のスポンジ（ウレタン）３１と、低密度のスポンジ３２および中密度のスポンジ（ウレタン）３３との２組に分割可能で、分割されたそれらの組が、基材２の一方の表面２１および他方の表面２２に、それぞれ貼付けられて該洗浄具１が作成される。低密度のスポンジ３２は、中密度のスポンジ３３側のクッション材として機能し、該スポンジ３２よりも硬いスポンジ３３を、被洗浄部位へ密着させる機能を有する。被洗浄物によっては、スポンジ３１，３３に代えて、不織布などを用いてもよい。
【００３９】
したがって、該洗浄具１を、たとえば図２で示すようにＵ字状に折返して癖付け（塑性変形）を行っておくことで、図３（ａ）で示すように、被洗浄物としてのジョッキ７やマグカップなどの筒状の容器の内外両面に、前記洗浄部材３を密着させて、同時に洗浄できるようになる。その場合、洗浄部材３の長さ、すなわち該洗浄具１の全長を３０〜３３ｃｍ、基材２を２９ｃｍ程度に形成しておくことで、前記のようにＵ字状に折返と、ジョッキ７やマグカップなどの筒状の容器の前記内外両面に加えて、飲み口や底部までも一気に洗い上げることができ、利便性を向上することができる。また、他の食器洗いに利用するにあたっても、上記の全長であれば、台所や厨房で邪魔にならない程度に収納することができ、好適である。
【００４０】
また、図１で示すように、該洗浄具１の両端部３７，３８を含む全周に亘って、洗浄部材３が基材２を覆っていることで、前記図２で示すようにＵ字状に折返した状態で、図３（ｂ）で示すように、その両端部３７，３８側から前記ジョッキ７やマグカップなどの有底筒状の容器に差し込むことで、該容器の底部７１およびその隅部７２まで洗浄することができる。さらに、安全上も好ましい。
【００４１】
このとき、図１および図２で示すように、洗浄部材３の端部３７，３８において、幅方向の中央付近に、切れ込み３９，４０が形成されていることで、該端部３７，３８を洗浄箇所に押し当てると、該端部３７，３８は切れ込み３９，４０の部分で股割れして、両側に拡がる。これによって、ジョッキ７やマグカップなどの有底筒状の容器の底部およびその隅部まで、より確実に洗浄することができる。なお、図１および図２の例では、前記切れ込み３９，４０は、円弧状の切り欠きであるが、前記基材２の端部２３，２４が露出しないような、単なるスリット（切れ目）などでもよい。
【００４２】
また、洗浄具１は、図２で示すように、略中央で折り返すだけでなく、１／３の部位で曲げたり、反対に曲げたり、自由自在に変形させることができる。そのため、たとえば図４（ａ）で示すような瓶４、図４（ｂ）で示すようなデキャンタボトル５、図３（ｃ）で示すワイングラス６などでは、軸方向Ｚに、外周面４１，５１，６１に沿うように癖付け（塑性変形）を行った後、それらの内部に挿入して、周方向φに回転させることで、瓶４の肩部４２や、デキャンタボトル５の膨出した腹部５２およびワイングラス６のひょうたん形の自由曲面の内周面６２に、洗浄部材３を密着させて、漏れ無く洗浄することができる。
【００４３】
これら以外にも、本実施形態の洗浄具１は、前記の自由自在の折り曲げを生かして、たとえば図５（ａ）に示すように折り曲げることで、自由曲面の容器８の口周り８１から底部８２までを一気に洗浄することができる。また、前述の図２で示すように折り曲げることで、図５（ｂ）で示すように、ワイングラス６の脚部６３（図４（ｃ）参照）を洗浄することができる。図５（ｃ）で示すように折り曲げることで、フライパン９の凹面から周縁までを一気に洗浄することができる。他にも、本実施形態の洗浄具１は、調味料の容器や急須など、洗い難い小物の容器に好適に使用することができる。
【００４４】
ここで、基材２に取付けるのは、ブラシであってもよいが、ブラシでは、被洗浄部位へ毛先が点接触することになり、また前記のような瓶４の肩部４２などの湾曲部分の外周側では、毛が粗になり（拡がってしまい）、１回擦っただけでは洗浄できない部位が生じるのに対して、スポンジ３１〜３３では、湾曲部分の外周は、多少、伸ばされて（引っ張られて）潰れるものの、外周面は連なっており、洗浄部位への接触ムラを少なくすることができ、短時間で一気に洗い上げることができる。洗浄部材３の厚さとしては、たとえば３５ｍｍである。
【００４５】
なお、特に業務用途では、前記のジョッキ７、瓶４、デキャンタボトル５およびワイングラス６など、特殊形状の被洗浄物に対して、専用の洗浄具が用いられることもある。したがってそのような用途では、本実施形態の洗浄具１は、１度、癖付け（塑性変形）されると、そのまま形状を変えずに使用されることも多く、基材２が疲労で分断したりすることも少なく、高い耐久性を確保することができる。
【００４６】
本実施形態の洗浄具１は、上述のように、色々な被洗浄物に汎用的に使用可能であり、上記のような食器に限らず、住宅設備の水回りなどにも、広く応用することができる。たとえば、Ｓ字やＰ字の排水トラップに差し込んで内部を洗浄することができ、或いはシンクの湾曲面上で旋回させて内面を洗浄することもできる。また、大便器の折り返された天面の裏側など、衛生陶器を洗浄することもできる。こうして、本実施形態の洗浄具１は、特殊な形状やサイズの異なる被洗浄物の、特に手の入らない箇所を、容易に洗浄することができるとともに、確実に洗浄、すなわち綺麗に洗い上げることができる。
【００４７】
そして、前記基材２としては、図１で示すように、帯の幅方向の断面が小判形または楕円形の帯状に形成されることが好ましい。図１は、楕円形で示している。このような帯状の基材２の場合、癖付け（塑性変形）を行うにあたって、図２のような帯の厚み方向へは曲げが容易になるのに対して、帯の幅方向への曲げは困難になる。したがって、該洗浄具１の変形方向を殆ど規定することになり、曲げに方向性を持たせることで、使い易くなる。また、一旦、癖付け（塑性変形）をした後、戻す際に、元通りの形状に戻し易く、また円形の線材などでは変形を繰り返すと凹凸になって直線に戻らなくなってしまうのに対して、帯状としておくことで、癖（変形）が残る割合も少なくすることができ、毎回、洗浄部材３を洗浄部位に密着させ易くなる。
【００４８】
また、基材２は、図１で示すように、その長手方向の両端部２３，２４が、該両端部２３，２４以外の部分よりも、拡径されている。これによって、洗浄部材３による被覆が破れるなどしても、基材２の端部２３，２４が太くなっていることで、安全である。
【００４９】
さらにまた、その基材２は、図１で示すように、洗浄部材３の幅方向の中央に埋め込まれることが好ましい。これによって、幅方向両側のスポンジ３１〜３３を、均等に変形させることができる。たとえば図２のように２つ折りにする場合、基材２が偏心していると、スポンジ３１〜３３の内、幅の狭い側は、該基材２に引っ張られ（図２の場合、基材２より外側となるスポンジ３１）、或いは押え込まれる（図２の場合、基材２より内側となるスポンジ３２，３３）のに対して、幅の狭い側については、前記の引っ張りや押さえ込みが、端部側になるに連れて弱くなり、隙間が開いてしまうことになる。
【００５０】
さらに、本実施形態の洗浄具１では、図１で示すように、洗浄部材３は、その幅方向の両端部が、長手方向に延びる中心線Ｙからの距離Ｄ１，Ｄ２が周期的に長短を繰り返す波形の側面３５，３６に形成されている。このように構成することで、スポンジ３１〜３３を前記のように周方向に回転させるなど、幅方向Ｘに移動させて被洗浄物を洗浄するにあたって、スポンジ３１〜３３の端部（前記側面３５，３６）は、一直線に進むのではなく、波打っているので、該スポンジ３１〜３３の相対的な移動が、汚れに対して、参照符号Ｆ１やＦ２で示すように、斜めの方向に力を加えることになり、汚れが落ち易くなる。
【００５１】
特に、図１および図２の例では、側面３５，３６の周期が同期（同相）している。すなわち、長手方向Ｙの各部において、一方の距離Ｄ１が拡がる時には、他方の距離Ｄ２も拡がるように、前記洗浄部材３の幅（Ｄ１＋Ｄ２）は、拡大と縮小を周期的に繰り返している。たとえば、Ｄ１＋Ｄ２は、最大５０ｍｍ、最小４０ｍｍである。
【００５２】
ここで、洗浄部材３の幅（Ｄ１＋Ｄ２）が一定であっても、側面３５，３６を波形に形成する、具体的には距離Ｄ１，Ｄ２の変化を逆相に形成してもよい。しかしながら、図１および図２の例のように、同相に形成することで、側面３５，３６の長手方向Ｙの各部において、中心線Ｙからの距離Ｄ１，Ｄ２が等しく、洗浄作業を行うにあたって、バランスが良い。
【００５３】
また、本実施形態の洗浄具１では、スポンジ３１〜３３を、基材２の厚み方向に分割しておき、基材２に対して、厚み方向の一方の表面２１と他方の表面２２とで、相互に密度の異なるスポンジ３１；３２，３３を貼合わせて用いる。これによって、被洗浄物に付着した汚れの性質に応じて、たとえば図３で示すように、該洗浄具１をどちらに曲げるかで、簡単に、より適切なスポンジを接触させることができる。
（実施の形態２）
図６は、本発明の実施の他の形態に係る洗浄具１ａの初期状態での斜視図である。この洗浄具１ａは、前述の洗浄具１に類似し、対応する部分には同一の参照符号を付して、その説明を省略する。この洗浄具１ａは、長手方向の一方の端部３７ａ付近が、該端部３７ａ側となるにつれて狭幅となる（前記幅（Ｄ１＋Ｄ２）が漸減する）尖鋭状に形成されている。このように構成することで、該洗浄具１ａの尖鋭状の端部３７ａを容器に差し込むことで、図４（ｃ）で示すワイングラス６、特に径が細くて胴が長く、尖鋭なシャンパングラスの底６４等、尖鋭状の洗浄箇所も、漏れ無く洗浄することができる。
（実施の形態３）
図７は本発明の実施のさらに他の形態に係る洗浄具１１の模式的な正面図であり、図８はその作成方法を説明するための図である。図８で示すように、この洗浄具１１は、基材２の両端部２３，２４が拡径されておらずに、洗浄部材３の端部３７，３８から突出し、その突出した端部２３，２４側が、参照符号Ｇで示すように折り曲げられ、共通の柄１２に取付けられて構成される。したがって、基材２および洗浄部材３は、図７のように環状に形成される。
【００５４】
このように構成することで、環状の基材２および洗浄部材３を適宜変形させて、断面が、長方形、円形、図７で示すような三角形などの任意形状の側溝などに平行に差し込み、９０°回転させた後、側溝の長手方向に引き摺ってゆくことで、被洗浄部位の各面を一気に洗浄することができる。
【００５５】
前記側溝の断面形状の例は、たとえば図９で示す通りである。図９（ａ）は単純なＵ字形状の側溝であるが、図９（ｂ）は、入口で狭く、内部が拡幅されている。特に図９（ｂ）のような場合にも、施工時の側溝の端材や余りの材料に、洗浄具１１を当て嵌めて、形状を一致させることで、内面を一気に洗浄できるようになる。
【符号の説明】
【００５６】
１    洗浄具
２    基材
２１    一方の表面
２２    他方の表面
２３，２４    端部
３    洗浄部材
３１    （高密度の）スポンジ（ウレタン）
３２    （低密度の）スポンジ
３３    （中密度の）スポンジ（ウレタン）
３５，３６    側面
３７，３８    端部
３９，４０    切れ込み
４    瓶
４１，５１，６１    外周面
４２    肩部
５    デキャンタボトル
６    ワイングラス
５２    腹部
６２    自由曲面の内周面
６３    脚部
６４    底
７    ジョッキ
７１    底部
７２    隅部
８    自由曲面の容器
８１    口周り
８２    底部
９    フライパン
【図１】
2016137178.tif 000003
【図２】
2016137178.tif 000004
【図３】
2016137178.tif 000005
【図４】
2016137178.tif 000006
【図５】
2016137178.tif 000007
【図６】
2016137178.tif 000008
【図７】
2016137178.tif 000009
【図８】
2016137178.tif 000010
【図９】
2016137178.tif 000011